(57)【要約】【課題】二つの部材を回動可能に組み付け合わされる軸ユニットに、付勢手段、制動手段、ロック手段、フリーストップ手段を備えさせる。【解決手段】一方部材４’に固定されるパーツと、他方部材５’に固定されるパーツとを一体に有していると共に、一方部材４’に固定されるパーツを回転軸として他方部材５’に固定されるパーツが回動されるようにしてある。しかも、他方部材５’を一方向に回動付勢する付勢手段３２１と、この付勢に制動を付与する制動手段３０１と、少なくともこの回動の途中から他方部材５’に固定されるパーツにフリーストップ作用を付与するフリーストップ手段と、一方向への回動を解除可能にロックするロック手段とを内蔵している。【選択図】図１０
2006000515.tif 000002
【特許請求の範囲】
【請求項１】
一方部材と他方部材とを回動可能に組み付け合わせる軸ユニットであって、
一方部材に固定されるパーツと、他方部材に固定されるパーツとを一体に有していると共に、
一方部材に固定されるパーツを回転軸として他方部材に固定されるパーツが回動されるようにしてあり、
しかも、他方部材に固定されるパーツを一方向に回動付勢する付勢手段と、
この付勢に制動を付与する制動手段と、
少なくともこの回動の途中から他方部材に固定されるパーツにフリーストップ作用を付与するフリーストップ手段と、
前記一方向への回動を解除可能にロックするロック手段とを内蔵していることを特徴とする軸ユニット。
【請求項２】
一方部材に固定されるパーツの少なくとも一部が軸ユニットの軸線方向に沿って押し込み移動可能とされていると共に、付勢手段がこの一方部材に固定されるパーツの少なくとも一部を押し出す向きに常時付勢するように構成されており、
ロック手段が、一方部材に固定されるパーツ及び他方部材に固定されるパーツのいずれか一方に形成された、これらの他方に形成された突起を前記付勢手段の付勢によって納める凹所と、
この付勢に抗した一方部材に固定されるパーツの押し込み前進操作により凹所から抜け出した突起が突き当てられる周回状摺動面とにより構成されていることを特徴とする請求項１記載の軸ユニット。
【請求項３】
フリーストップ手段が、一方部材に固定されるパーツ及び他方部材に固定されるパーツのいずれか一方に設けられて他方部材に固定されるパーツの回動に伴ってこれらの他方に圧接される弾性突起としてあることを特徴とする請求項１又は請求項２記載の軸ユニット。
【請求項４】
一方部材と他方部材とを回動可能に組み付け合わせる軸ユニットであって、
一方部材の通し穴に通されてこの通し穴の穴軸線に沿った前後動可能に一方部材に組み付けられる後端パーツと、
一方部材の通し穴に通されて一方部材に組み付けられる前端パーツと、
他方部材の通し穴に通されて他方部材に組み付けられる中間パーツとを備えており、
中間パーツは、
前端パーツの後端部を回転軸とするようにしてこの前端パーツの後端部に回転可能に組み合わされると共に、この回転に制動を付与する制動手段を備えたサブシリンダ部分と、
後端パーツの前端部を回転軸とするようにしてこの後端パーツの前端部に回転可能に組み合わされると共に、この後端パーツを後退させる向きに常時押し出し付勢し、かつ、前記回転軸を中心として中間パーツを未回動位置から回動終了位置に向けて常時回転付勢する付勢手段を内蔵したメインシリンダ部分とを有しており、
しかも、メインシリンダ部分の内部及び後端パーツの前端部のいずれか一方に、これらの他方に形成された突起を前記付勢手段の付勢によって前記未回動位置において納める凹所と、
この付勢に抗した後端パーツの押し込み前進操作により凹所から抜け出した突起が突き当てられる周回状摺動面とが形成されていることを特徴とする軸ユニット。
【請求項５】
第一通し穴を備えた第一部分と、第二通し穴を備えた第二部分とを有する一方部材と、
第三通し穴を備えた第三部分を有する他方部材とを、
第一部分と第二部分との間に第三部分を納め入れ、かつ、第一通し穴と第三通し穴と第二通し穴とを連通させた状態で組み合わさせた状態において、
連通されたこれらの通し穴に差し通されて、この一方部材と他方部材とを回動可能に組み付け合わさせる軸ユニットであって、
第一通し穴に通されてこの第一通し穴の穴軸線に沿った前後動可能に一方部材に組み付けられる後端パーツと、
第二通し穴に通されて一方部材に組み付けられる前端パーツと、
第三通し穴に通されて他方部材に組み付けられる中間パーツとを備えており、
中間パーツは、
前端パーツの後端部を回転軸とするようにしてこの前端パーツの後端部に回転可能に組み合わされると共に、この回転に制動を付与する制動手段を備えたサブシリンダ部分と、
後端パーツの前端部を回転軸とするようにしてこの後端パーツの前端部に回転可能に組み合わされると共に、この後端パーツを後退させる向きに常時押し出し付勢し、かつ、前記回転軸を中心として中間パーツを未回動位置から回動終了位置に向けて常時回転付勢する付勢手段を内蔵したメインシリンダ部分とを有しており、
しかも、メインシリンダ部分の内部に、
後端パーツの前端部に形成された突起を前記付勢手段の付勢によって前記未回動位置においてメインシリンダ部分の前端部側から納める凹所と、
この付勢に抗した後端パーツの押し込み前進操作により凹所から抜け出した後端パーツの突起がメインシリンダ部分の前端部側から突き当てられる周回状摺動面とが形成されていることを特徴とする軸ユニット。
【請求項６】
凹所の側壁面が、後端パーツの押し込み前進操作によって、中間パーツを付勢手段による回転付勢の向きに回動させながら、この凹所から突起を抜き出させる向きに傾斜した傾斜面となっていることを特徴とする請求項４又は請求項５記載の軸ユニット。
【請求項７】
中間パーツのサブシリンダ部分内に納められる前端パーツの後端部に、弾性突起が形成されており、この弾性突起の圧接により中間パーツにフリーストップ作用が付与されるようになっていることを特徴とする請求項４〜請求項６のいずれか１項に記載の軸ユニット。
【請求項８】
中間パーツのサブシリンダ部分内に納められる前端パーツの後端部に、弾性突起が形成されていると共に、
中間パーツのサブシリンダ部分が、広径部分と狭径部分とを有しており、
この広径部分と狭径部分との間の段差面に付勢手段の回転付勢によるこの中間パーツの回動によってその回動終了位置に至る前に弾性突起が突き当てられて一旦この回動が停止されると共に、
この停止位置から先への中間パーツの回動が狭径部分の内壁に弾性突起を弾性変形させながら押し当てさせることによってなされるようにしてあることを特徴とする請求項４〜請求項７のいずれか１項に記載の軸ユニット。
【請求項９】
後端パーツの後端部に、この後端部の側面から側部を側方に突き出させない未ロック位置からこの側部を側方に突き出させたロック位置までの間での移動可能にロック体が組み付けられていることを特徴とする請求項４〜請求項８のいずれか１項に記載の軸ユニット。
【請求項１０】
一方容器構成体と他方容器構成体とを、請求項１〜請求項３のいずれか１項に記載の軸ユニットによって回動可能に組み付け合わさせて構成されており、
他方容器構成体に固定されるパーツが未回動位置にある状態において、一方容器構成体と他方容器構成体とが重なり合わされるようになっていることを特徴とする化粧品容器。
【請求項１１】
通し穴を備えた一方容器構成体と、
通し穴を備えた他方容器構成体と、
請求項４に記載の軸ユニットとを備えてなり、
各通し穴を連通させた状態で組み合わさせた状態において、
連通されたこれらの通し穴に前記軸ユニットを差し通して、一方容器構成体と他方容器構成体とを回動可能に組み付け合わさせて構成されており、
軸ユニットの中間パーツが未回動位置にある状態において、一方容器構成体と他方容器構成体とが重なり合わされるようになっていることを特徴とする化粧品容器。
【請求項１２】
第一通し穴を備えた第一部分と、第二通し穴を備えた第二部分とを有する一方容器構成体と、
第三通し穴を備えた第三部分を有する他方容器構成体と、
請求項５〜請求項９のいずれか１項に記載の軸ユニットとを備えてなり、
第一部分と第二部分との間に第三部分を納め入れ、かつ、第一通し穴と第三通し穴と第二通し穴とを連通させた状態で組み合わさせた状態において、
連通されたこれらの通し穴に前記軸ユニットを差し通して、一方容器構成体と他方容器構成体とを回動可能に組み付け合わさせて構成されており、
軸ユニットの中間パーツが未回動位置にある状態において、一方容器構成体と他方容器構成体とが重なり合わされるようになっていることを特徴とする化粧品容器。
【請求項１３】
軸ユニットの中間パーツが差し通される第四通し穴を備えた第四部分を有する中蓋体を有していると共に、
他方容器構成体の第三部分の外面部に、中間パーツの回動によるこの他方容器構成体の開き出しに伴ってこの中蓋体の回動組み付け側の縁部に所定の回動位置で突き当たってこの中蓋体をこの位置からは一緒に開き出させる連係用突き当たり部が形成されていることを特徴とする請求項１２記載の化粧品容器。
【請求項１４】
一方部材に対し回動可能に組み付け合わされる他方部材を、この他方部材の回動開始から回動終了までの間において、制動を作用させながら所定の回動位置まで自動的に回動させた後、この所定の回動位置から先では他方部材にフリーストップ作用を付与させながら手動で回動させるようにしたことを特徴とする回動体の動作方法。
【請求項１５】
一方容器構成体と他方容器構成体とを軸部で開閉可能に軸着する化粧品容器の開閉装置であって、軸部には、少なくともいずれかの容器構成体を回動付勢する付勢手段と、この回動に制動を付与する制動手段と、この回動を解除可能にロックするロック手段とが備えられていることを特徴とする化粧品容器の開閉装置。
【発明の詳細な説明】
【技術分野】
【０００１】
この発明は、二つの部材を回動可能に組み付け合わさせるために用いられる軸ユニット、この軸ユニットを利用して構成される化粧品容器、化粧品容器の開閉装置、および、回動体の動作方法に関する。
【背景技術】
【０００２】
容器本体と蓋体とを、閉じ位置にある蓋体の先端に対するボタンの係止を解くことにより、この蓋体をスプリングの作用によって回動開かせるようにすると共に、この回動に制動を付与できるように構成された回動軸を持ったコンパクト容器がある。（特許文献１参照）
【０００３】
しかるに、かかるコンパクト容器にあっては、蓋体を開放させるためには、容器を一方の手で把持しながら他方の手で前記ボタンを操作せざるを得ないものであった。
【０００４】
また、かかる蓋体は閉じ位置と開き切った位置とではそれぞれ停止されるが、その中間の任意の位置でこの蓋体を一時的にストップさせることはできないものであった。
【特許文献１】特公平５−１６９６２号公報
【発明の開示】
【発明が解決しようとする課題】
【０００５】
この発明が解決しようとする主たる問題点の一つは、二つの部材を回動可能に組み付け合わされる軸ユニットに、この二つの部材の一方の回動に対する付勢手段、および、この回動への制動手段を備えさせる他に、さらに、ロックを解くことによりこの回動を開始させるロック手段とフリーストップ手段を備えさせる点にある。
【０００６】
また、この発明が解決しようとする主たる問題点の他の一つは、かかる軸ユニットを利用して操作性の良いコンパクトなどの化粧品容器を提供できるようにする点にある。
【０００７】
また、この発明が解決しようとする主たる問題点のさらに他の一つは、回動可能に組み付け合わされる二つの部材の一方の回動を、これまでにない態様で行わさせることができるようにする点にある。
【０００８】
また、この発明が解決しようとする主たる問題点のさらに他の一つは、コンパクトなどの化粧品容器の操作性を高める点にある。
【課題を解決するための手段】
【０００９】
前記問題点を解決するために、この発明にあっては、軸ユニットを以下の（１）〜（７）の構成を備えたものとした。
（１）一方部材と他方部材とを回動可能に組み付け合わせる軸ユニットであって、
（２）一方部材に固定されるパーツと、他方部材に固定されるパーツとを一体に有していると共に、
（３）一方部材に固定されるパーツを回転軸として他方部材に固定されるパーツが回動されるようにしてあり、
（４）しかも、他方部材に固定されるパーツを一方向に回動付勢する付勢手段と、
（５）この付勢に制動を付与する制動手段と、
（６）少なくともこの回動の途中から他方部材に固定されるパーツにフリーストップ作用を付与するフリーストップ手段と、
（７）前記一方向への回動を解除可能にロックするロック手段とを内蔵している。
【００１０】
かかる構成によれば、
（１）先ず、単一の軸ユニットによって一方部材と他方部材とを回動可能に組み付け合わせることができる。また、ロック手段のロックを解除しない限り、かかる回動が生じないようにすることができる。
（２）次いで、かかる回動を必要とする場合には、ロック手段のロックを解除することにより、前記付勢手段の付勢によってワンタッチでかかる回動を行わせることができる。また、同時に、かかる回動に前記制動手段によって制動を付与させることができる。
（３）また、他方部材の回動の途中からは任意の回動位置において他方部材を一時的に停止させることができる。
【００１１】
前記一方部材に固定されるパーツの少なくとも一部が軸ユニットの軸線方向に沿って押し込み移動可能とされていると共に、付勢手段がこの一方部材に固定されるパーツの少なくとも一部を押し出す向きに常時付勢するように構成されており、
ロック手段を、一方部材に固定されるパーツ及び他方部材に固定されるパーツのいずれか一方に形成された、これらの他方に形成された突起を前記付勢手段の付勢によって納める凹所と、
この付勢に抗した一方部材に固定されるパーツの押し込み前進操作により凹所から抜け出した突起が突き当てられる周回状摺動面とにより構成させておくこともある。
【００１２】
このようにした場合、一方部材に固定されるパーツを付勢手段の付勢に抗して押し込み前進操作しない限り、かかる他方部材の回動が生じないようにすることができる。また、かかる回動を必要とする場合には、一方部材に固定されるパーツを付勢手段の付勢に抗して押し込み前進操作して前記凹所から前記突起を抜け出させることにより、前記付勢手段の付勢によってワンタッチでかかる回動を行わせることができる。
【００１３】
前記フリーストップ手段を、一方部材に固定されるパーツ及び他方部材に固定されるパーツのいずれか一方に設けられて他方部材に固定されるパーツの回動に伴ってこれらの他方に圧接される弾性突起として構成させておくこともある。
【００１４】
このようにした場合、他方部材の回動操作を止めた場合にはその位置において他方部材が留められるようにすることができる。（いわゆるフリーストップ）
【００１５】
また、かかる軸ユニットは以下の（１）〜（６）の構成を備えたものとしておくこともある。
（１）一方部材と他方部材とを回動可能に組み付け合わせる軸ユニットであって、
（２）一方部材の通し穴に通されてこの通し穴の穴軸線に沿った前後動可能に一方部材に組み付けられる後端パーツと、
（３）一方部材の通し穴に通されて一方部材に組み付けられる前端パーツと、
（４）他方部材の通し穴に通されて他方部材に組み付けられる中間パーツとを備えており、
（５）中間パーツは、
前端パーツの後端部を回転軸とするようにしてこの前端パーツの後端部に回転可能に組み合わされると共に、この回転に制動を付与する制動手段を備えたサブシリンダ部分と、
後端パーツの前端部を回転軸とするようにしてこの後端パーツの前端部に回転可能に組み合わされると共に、この後端パーツを後退させる向きに常時押し出し付勢し、かつ、前記回転軸を中心として中間パーツを未回動位置から回動終了位置に向けて常時回転付勢する付勢手段を内蔵したメインシリンダ部分とを有しており、
（６）しかも、メインシリンダ部分の内部及び後端パーツの前端部のいずれか一方に、これらの他方に形成された突起を前記付勢手段の付勢によって前記未回動位置において納める凹所と、
この付勢に抗した後端パーツの押し込み前進操作により凹所から抜け出した突起が突き当てられる周回状摺動面とが形成されている。
【００１６】
かかる構成によれば、
（１）先ず、一方部材の通し穴内に前端パーツと後端パーツとを入り込ませ、かつ、他方部材の通し穴に中間パーツを入り込ませるようにして、これらの通し穴に軸ユニットを入れ込ませることにより、ワンタッチでかかる一方部材と他方部材とを回動可能に組み合わせることができる。また、後端パーツを付勢手段の付勢に抗して押し込み前進操作しない限り、かかる回動が生じないようにすることができる。
（２）次いで、かかる回動を必要とする場合には、後端パーツを付勢手段の付勢に抗して押し込み前進操作して前記凹所から前記突起を抜け出させることにより、前記付勢手段の付勢によってワンタッチでかかる回動を行わせることができる。また、同時に、かかる回動に前記制動手段によって制動を付与させることができる。
【００１７】
また、かかる軸ユニットは以下の（１）〜（６）の構成を備えたものとしておくこともある。
（１）第一通し穴を備えた第一部分と、第二通し穴を備えた第二部分とを有する一方部材と、
第三通し穴を備えた第三部分を有する他方部材とを、
第一部分と第二部分との間に第三部分を納め入れ、かつ、第一通し穴と第三通し穴と第二通し穴とを連通させた状態で組み合わさせた状態において、
連通されたこれらの通し穴に差し通されて、この一方部材と他方部材とを回動可能に組み付け合わさせる軸ユニットであって、
（２）第一通し穴に通されてこの第一通し穴の穴軸線に沿った前後動可能に一方部材に組み付けられる後端パーツと、
（３）第二通し穴に通されて一方部材に組み付けられる前端パーツと、
（４）第三通し穴に通されて他方部材に組み付けられる中間パーツとを備えており、
（５）中間パーツは、
前端パーツの後端部を回転軸とするようにしてこの前端パーツの後端部に回転可能に組み合わされると共に、この回転に制動を付与する制動手段を備えたサブシリンダ部分と、
後端パーツの前端部を回転軸とするようにしてこの後端パーツの前端部に回転可能に組み合わされると共に、この後端パーツを後退させる向きに常時押し出し付勢し、かつ、前記回転軸を中心として中間パーツを未回動位置から回動終了位置に向けて常時回転付勢する付勢手段を内蔵したメインシリンダ部分とを有しており、
（６）しかも、メインシリンダ部分の内部に、
後端パーツの前端部に形成された突起を前記付勢手段の付勢によって前記未回動位置においてメインシリンダ部分の前端部側から納める凹所と、
この付勢に抗した後端パーツの押し込み前進操作により凹所から抜け出した後端パーツの突起がメインシリンダ部分の前端部側から突き当てられる周回状摺動面とが形成されている。
【００１８】
かかる構成によれば、
（１）先ず、一方部材の第一部分と第二部分との間に他方部材の第三部分を納めた状態から、第二通し穴内に前端パーツを入り込ませ、第三通し穴に中間パーツを入り込ませ、かつ、第一通し穴に後端パーツを入り込ませるようにして、これらの通し穴に軸ユニットを入れ込ませることにより、ワンタッチでかかる一方部材と他方部材とを回動可能に組み合わせることができる。また、後端パーツを付勢手段の付勢に抗して押し込み前進操作しない限り、かかる回動が生じないようにすることができる。
（２）次いで、かかる回動を必要とする場合には、後端パーツを付勢手段の付勢に抗して押し込み前進操作してメインシリンダ部分の凹所から後端パーツの突起を抜け出させることにより、前記付勢手段の付勢によってワンタッチでかかる回動を行わせることができる。また、同時に、かかる回動に前記制動手段によって制動を付与させることができる。
（３）また、回動終了位置まで回動された他方部材を回動開始前の位置まで回動操作させると、中間パーツは未回動位置に向けて回動され、未回動位置まで回動がされると後端パーツの突起は再びメインシリンダ部分の凹所に付勢手段の付勢によって入り込み、中間パーツのこの未回動位置にある状態が維持される。つまり、回動開始前の位置に戻された他方部材のその状態が再び維持される。
【００１９】
前記凹所の側壁面を、後端パーツの押し込み前進操作によって、中間パーツを付勢手段による回転付勢の向きに回動させながら、この凹所から突起を抜き出させる向きに傾斜した傾斜面とさせておくこともある。
【００２０】
かかる構成によれば、後端パーツを押し込み前進操作することに伴なう凹所から突起が抜け出す過程において事前にやや中間パーツを、つまり、他方部材を回動させることができ、これにより回動開始時の最も回動抵抗が高い時に、前記付勢力を補って確実に他方部材を回動させることができる。他方部材を回動開始前の位置に戻す操作により中間パーツが未回動位置に戻される場合には、その最終段階において付勢手段の付勢によって凹所に突起を引き込み易くすることができる。
【００２１】
前記中間パーツのサブシリンダ部分内に納められる前端パーツの後端部に、弾性突起を形成させ、この弾性突起の圧接により中間パーツにフリーストップ作用を付与させるようにしておくこともある。
【００２２】
このようにした場合、中間パーツのどの回動位置においても前記弾性突起の圧接によって中間パーツを仮止めすることができる。すなわち、他方部材の回動操作を止めた場合にはその位置において他方部材が留められるようにすることができる。
【００２３】
前記中間パーツのサブシリンダ部分内に納められる前端パーツの後端部に、弾性突起が形成されていると共に、
中間パーツのサブシリンダ部分が、広径部分と狭径部分とを有しており、
この広径部分と狭径部分との間の段差面に付勢手段の回転付勢によるこの中間パーツの回動によってその回動終了位置に至る前に弾性突起が突き当てられて一旦この回動が停止されると共に、
この停止位置から先への中間パーツの回動が狭径部分の内壁に弾性突起を弾性変形させながら押し当てさせることによってなされるようにしておくこともある。
【００２４】
このようにした場合、前記後端パーツの押し込み前進操作によって許容された中間パーツの前記付勢手段の付勢による自動的な回動を回動終了位置に至る前に一旦停止させることができると共に、この停止位置から回動終了位置までの間にあっては、中間パーツのどの回動位置においても前記弾性突起のサブシリンダ部分の狭径部分の内壁への圧接によって中間パーツを仮止めすることができる。すなわち、中間パーツの回動によって回動される他方部材の一定位置から先への回動を、この回動操作を止めた場合にはその位置において他方部材が留められるようにした状態で、許容させることができる。
【００２５】
前記後端パーツの後端部に、この後端部の側面から側部を側方に突き出させない未ロック位置からこの側部を側方に突き出させたロック位置までの間での移動可能にロック体を組み付けておくこともある。
【００２６】
このようにした場合、中間パーツが未回動位置にある状態においてロック体をロック位置にスライド移動させておくことにより、ロック体に押し込み力が作用されてもロック体の側部を突き当てさせて後端パーツの押し込み方向への移動を阻止することができ、予期せずこの中間パーツ、つまり、他方部材が回動されてしまうことがないようにすることができる。
【００２７】
また、前記問題点を解決するために、この発明にあっては、化粧品容器を以下の構成を備えたものとした。
（１）一方容器構成体（一方部材）と他方容器構成体（他方部材）とを、前記軸ユニットによって回動可能に組み付け合わさせて構成されており、
（２）他方容器構成体に固定されるパーツが未回動位置にある状態において、一方容器構成体と他方容器構成体とが重なり合わされるようになっている。
【００２８】
かかる構成によれば、一方容器構成体と他方容器構成体とが重なり合った状態を安定的に維持することができる。また、化粧品容器を保持する側の手で軸ユニットのロック手段のロックを解除操作することにより、前記重なり合った状態から他方容器構成体を開き方向に制動を付与しながら自動的に回動させることができる。また、他方容器構成体にフリーストップ作用を付与しながらこの他方容器構成体を回動操作することができる。
【００２９】
また、かかる化粧品容器は以下の（１）〜（５）の構成を備えたものとしておくこともある。
（１）通し穴を備えた一方容器構成体と、
（２）通し穴を備えた他方容器構成体と、
（３）前記軸ユニットとを備えてなり、
（４）各通し穴を連通させた状態で組み合わさせた状態において、
連通されたこれらの通し穴に前記軸ユニットを差し通して、一方容器構成体と他方容器構成体とを回動可能に組み付け合わさせて構成されており、
（５）軸ユニットの中間パーツが未回動位置にある状態において、一方容器構成体と他方容器構成体とが重なり合わされるようになっている。
【００３０】
かかる構成によれば、一方容器構成体と他方容器構成体とが重なり合った状態を安定的に維持することができる。また、化粧品容器を保持する側の手で軸ユニットの後端パーツを押し込み前進操作することにより、前記重なり合った状態から他方容器構成体を開き方向に制動を付与しながら自動的に回動させることができる。さらに、軸ユニットが前記弾性突起を有している場合、この他方容器構成体の自動的な回動を途中で停止させることができると共に、この停止位置から先では他方容器構成体にフリーストップ作用を付与しながらこの他方容器構成体を回動操作することができる。また、軸ユニットがロック体を有している場合、一方容器構成体と他方容器構成体とが重なり合った状態において軸ユニットのロック体をロック位置に移動させておくことにより、予期せず後端パーツが押し込まれて他方容器構成体が開き出してしまうことがないようにすることができる。
【００３１】
また、かかる化粧品容器は以下の（１）〜（５）の構成を備えたものとしておくこともある。
（１）第一通し穴を備えた第一部分と、第二通し穴を備えた第二部分とを有する一方容器構成体と、
（２）第三通し穴を備えた第三部分を有する他方容器構成体と、
前記軸ユニットとを備えてなり、
（３）第一部分と第二部分との間に第三部分を納め入れ、かつ、第一通し穴と第三通し穴と第二通し穴とを連通させた状態で組み合わさせた状態において、
（４）連通されたこれらの通し穴に前記軸ユニットを差し通して、一方容器構成体と他方容器構成体とを回動可能に組み付け合わさせて構成されており、
（５）軸ユニットの中間パーツが未回動位置にある状態において、一方容器構成体と他方容器構成体とが重なり合わされるようになっている。
【００３２】
これにより、かかる化粧品容器によれば、一方容器構成体の第一通し穴および第二通し穴と他方容器構成体の第三通し穴とに軸ユニットを差し通すことにより、ワンタッチで両容器構成体を回動可能に組み付け合わせることができる。
【００３３】
かかる構成によれば、一方容器構成体と他方容器構成体とが重なり合った状態を安定的に維持することができる。また、化粧品容器を保持する側の手で軸ユニットの後端パーツを押し込み前進操作することにより、前記重なり合った状態から他方容器構成体を開き方向に制動を付与しながら自動的に回動させることができる。さらに、軸ユニットが前記弾性突起を有している場合、この他方容器構成体の自動的な回動を途中で停止させることができると共に、この停止位置から先では他方容器構成体にフリーストップ作用を付与しながらこの他方容器構成体を回動操作することができる。また、軸ユニットがロック体を有している場合、一方容器構成体と他方容器構成体とが重なり合った状態において軸ユニットのロック体をロック位置に移動させておくことにより、予期せず後端パーツが押し込まれて他方容器構成体が開き出してしまうことがないようにすることができる。
【００３４】
前記軸ユニットの中間パーツが差し通される第四通し穴を備えた第四部分を有する中蓋体を有していると共に、
他方容器構成体の第三部分の外面部に、中間パーツの回動によるこの他方容器構成体の開き出しに伴ってこの中蓋体の回動組み付け側の縁部に所定の回動位置で突き当たってこの中蓋体をこの位置からは一緒に開き出させる連係用突き当たり部を形成させておくこともある。
【００３５】
このようにした場合、前記付勢手段の付勢による他方容器構成体の回動に伴ってこの回動の途中から中蓋体も同じ向きに回動させることができる。
【００３６】
また、前記問題点を解決するために、この発明にあっては回動体の動作方法を、一方部材に対し回動可能に組み付け合わされる他方部材を、この他方部材の回動開始から回動終了までの間において、制動を作用させながら所定の回動位置まで自動的に回動させた後、この所定の回動位置から先では他方部材にフリーストップ作用を付与させながら手動で回動させるようにしたものとした。
【００３７】
このようにした場合、かかる回動体を回動の途中まではゆっくりと自動的に回動させ、そこから先では任意の回動位置での姿勢保持可能な状態で手動で回動させることができる。
【００３８】
また、前記問題点を解決するために、この発明にあっては化粧品容器の開閉装置を、一方容器構成体と他方容器構成体とを軸部で開閉可能に軸着する化粧品容器の開閉装置であって、軸部に、少なくともいずれかの容器構成体を回動付勢する付勢手段と、この回動に制動を付与する制動手段と、この回動を解除可能にロックするロック手段とが備えられているものとした。
【００３９】
かかる構成によれば、一方容器構成体と他方容器構成体とが重なり合った閉じ状態を安定的に維持することができる。また、化粧品容器を保持する側の手で軸部のロック手段の前記ロックを解除操作することにより、前記閉じ状態からいずれか一方の容器構成体を開き方向に制動を付与しながら自動的に回動させることができる。
【発明の効果】
【００４０】
この発明にかかる軸ユニットによれば、この軸ユニットを介して二つの部材を回動可能に組み付け合わせることで、この二つの部材の一方の回動に対する付勢とこの回動への制動をなすことができると共に、軸ユニットに設けられたロック手段のロックを解くことによりこの回動が開始されるようにすることができ、さらに、この二つの部材の一方にフリーストップ作用を付与させることができる。
【００４１】
また、この発明にかかる化粧品容器は、かかる軸ユニットの機能によって、その操作がし易い。
【００４２】
また、この発明にかかる動作方法によれば、回動可能に組み付け合わされる二つの部材の一方の回動を、これまでにない態様で行わさせることができる。
【００４３】
また、この発明にかかる化粧品容器の開閉装置によれば、軸部に備えられたロック手段の操作によって、この容器を制動を付与しながら開かせることができる。
【発明を実施するための最良の形態】
【００４４】
以下、図１ないし図２２に基づいて、この発明を実施するための最良の形態について説明する。
【００４５】
なお、ここで図１ないし図１６は、実施の形態にかかる軸ユニットＪを利用して構成された化粧品容器Ｙをそれぞれ示しており、特に、図１０、図１２および図１３は、かかる化粧品容器Ｙが閉じた状態における軸ユニットＪの組み込み部を、図１１は、図１０の状態からこの軸ユニットＪを構成する後端パーツ１を押し込み前進操作させてこれに伴って化粧品容器Ｙがやや開きだした状態におけるこの軸ユニットＪの組み込み部を、図１４は、軸ユニットＪを構成する後端パーツ１に取り付けられたロック体１０７をロック位置に位置づけた状態のこの後端パーツ１の要部を、それぞれ示している。
【００４６】
また、図１７および図１８は、かかる軸ユニットＪを構成する各部材を分離させた状態として、図１９および図２０は、かかる軸ユニットＪを構成する中間パーツ３のメインシリンダ部分３２０を、図２１および図２２は、軸ユニットＪを構成する後端パーツ１の主軸１１３を、それぞれ示している。
【００４７】
この実施の形態にかかる軸ユニットＪは、二つの部材を回動可能に組み付け合わさせるために用いられるものであって、これら二つの部材のヒンジ部を構成するものである。
【００４８】
また、この実施の形態にかかる化粧品容器Ｙは、それを構成する一方容器構成体４と他方容器構成体５とを前記軸ユニットＪによって回動可能に組み付け合わされてなるものである。
【００４９】
また、この実施の形態にかかる回動体の動作方法は、一方部材４’に対し回動可能に組み付け合わされる他方部材５’（回動体）を、回動の途中までは自動的に回動させ、そこから先では任意の回動位置での姿勢保持可能な状態で手動で回動できるようにしたものである。
【００５０】
また、この実施の形態にかかる化粧品容器Ｙの開閉装置は、軸部Ｊ’に備えられたロック手段の操作によって、この容器Ｙを制動を付与しながら開かせることができるようにしたものである。
【００５１】
（軸ユニットＪ）
かかる軸ユニットＪは、
第一通し穴４０１を備えた第一部分４００と、第二通し穴４１１を備えた第二部分４１０とを有する一方部材４’と、
第三通し穴５０１を備えた第三部分５００を有する他方部材５’とを、
第一部分４００と第二部分４１０との間に第三部分５００を納め入れ、かつ、第一通し穴４０１と第三通し穴５０１と第二通し穴４１１とを連通させた状態で組み合わさせた状態において、
連通されたこれらの通し穴４０１、４１１、５０１に差し通されて、この一方部材４’と他方部材５’とを回動可能に組み付け合わさせるように構成されている。
【００５２】
かかる軸ユニットＪは、
（１）第一通し穴４０１に通されてこの第一通し穴４０１の穴軸線に沿った前後動可能に一方部材４’に組み付けられる後端パーツ１と、
（２）第二通し穴４１１に通されて一方部材４’に組み付けられる前端パーツ２と、
（３）第三通し穴５０１に通されて他方部材５’に組み付けられる中間パーツ３とを備えている。
【００５３】
図示の例にあっては、前端パーツ２は、第二通し穴４１１に入り込む前端部２００と、後述するように中間パーツ３のサブシリンダ部分３００に納められる後端部２０３とを有している。この前端パーツ２の前端部２００は、巾広の両面を備えた細板状をなすように構成されていると共に、第二通し穴４１１は、その穴軸線に直交する向きの断面における穴内面形状を、この前端パーツ２の前端部２００の軸線に直交する向きの断面形状に倣った形状としており、この第二通し穴４１１に前端パーツ２の前端部２００を差し込まさせることによって前端パーツ２は一方部材４’の第二部分４１０に固定されるようになっている。図示の例ではさらに、第二通し穴４１１は、第三通し穴５０１との連通側を細径とし、この細径部の先を拡径として、両者の間に段差面４１２を有していると共に、前端パーツ２の前端部２００に、この細径側からのこの前端部２００の入れ込みに伴ってこの前端部２００の一部を一旦弾性変形させた後の入れ込みきった位置での弾性復帰によってこの段差面４１２に掛合される掛合突起２０１が形成されており、これにより、第二通し穴４１１に一旦通された前端パーツ２の前端部２００はこの第二通し穴４１１から抜け出すこともないようにしてある。かかる掛合突起２０１は前端パーツ２の前端部２００の巾狭の両面にそれぞれ形成されており、この形成位置間において巾広の両面間に亘る貫通穴２０２によってこの掛合突起２０１の形成箇所が前記のように弾性変形し易くなるようにしてある。後述するように、前端パーツ２と中間パーツ３と後端パーツ１とは一体化されていると共に、第二通し穴４１１を持った第二部分４１０と後端パーツ１が入れ込み組み付けられる第一通し穴４０１を持った第一部分４００とは同じ一方部材４’に設けられていることから、第二通し穴４１１への前端パーツ２の前記固定と掛合とによって、一方部材４’と他方部材５’とは軸ユニットＪによって回動可能な状態で安定的に一体化される。
【００５４】
一方、中間パーツ３は、
（１）前端パーツ２の後端部２０３を回転軸とするようにしてこの前端パーツ２の後端部２０３に回転可能に組み合わされると共に、この回転に制動を付与する制動手段３０１を備えたサブシリンダ部分３００と、
（２）後端パーツ１の前端部１００を回転軸とするようにしてこの後端パーツ１の前端部１００に回転可能に組み合わされると共に、この後端パーツ１を後退させる向きに常時押し出し付勢し、かつ、前記回転軸を中心として中間パーツ３を未回動位置（図１０、図１２の位置）から回動終了位置に向けて常時回転付勢する付勢手段３２１を内蔵したメインシリンダ部分３２０とを有している。
【００５５】
図示の例にあっては、中間パーツ３のサブシリンダ部分３００は、筒一端を開放させ筒他端を閉塞させた円筒状をなすように構成されていると共に、中間パーツ３のメインシリンダ部分３２０は、筒両端を開放させた円筒状をなすように構成されている。そして、図示の例では、サブシリンダ部分３００の後端部３０２の外面に形成された接続用突部３０３をメインシリンダ部分３２０の前端部３２３に形成された接続用窓穴３２５にこのメインシリンダ部分３２０の前端部３２３側からこのメインシリンダ部分３２０内にサブシリンダ部分３００の後端部３０２を入れ込ませることに伴って入れ込み掛合させて、中間パーツ３を形成させるようにしている。また、前端パーツ２の後端部２０３は、略円柱状をなすように構成されており、前端パーツ２は中間パーツ３のサブシリンダ部分３００内にこのサブシリンダ部分３００の前端部側から入れ込まれてこの中間パーツ３と組み合わされるようになっている。図示の例では、かかる中間パーツ３のサブシリンダ部分３００の開口は前端パーツ２の後端部２０３を入れ込ませた状態でこの開口に止め付けられる抜け止めリング３０４によって閉塞されるようになっている。抜け止めリング３０４の先には、前端パーツ２の後端部２０３の外面とサブシリンダ部分３００の内面とにそれぞれ圧接されたシールリング３０５が設けられている。そして、このシールリング３０５よりも先において、サブシリンダ部分３００内にシリコンオイルなどの粘性流体（図示は省略する。）が封入されるようになっている。このように封入された粘性流体によって、前端パーツ２の後端部２０３を回転軸とした中間パーツ３の回転に制動が付与されるようになっている。すなわち、図示の例では、かかる粘性流体を含んだ前端パーツ２とサブシリンダ部分３００とが前記制動手段３０１として機能するようになっている。
【００５６】
また、この実施の形態にあっては、かかる中間パーツ３のサブシリンダ部分３００内に納められる前端パーツ２の後端部２０３に、弾性突起２０４が形成されていると共に、
中間パーツ３のサブシリンダ部分３００が、広径部分３０６と狭径部分３０７とを有しており、
この広径部分３０６と狭径部分３０７との間の段差面３０８に付勢手段３２１の回転付勢によるこの中間パーツ３の回動によってその回動終了位置に至る前に弾性突起２０４が突き当てられて一旦この回動が停止されると共に、
この停止位置から先への中間パーツ３の回動が狭径部分３０７の内壁に弾性突起２０４を弾性変形させながら押し当てさせることによって許容されるようにしてある。
【００５７】
図示の例にあっては、前端パーツ２の後端部２０３であって前記シールリングよりも先に入り込む箇所に、この後端部２０３の軸線に沿ってこの後端部２０３に形成された溝内にはめ込まれて一方板縁をこの後端部２０３の周面からやや突き出させた板状をなす弾性材２０５が備えられており、この弾性材２０５の一方板縁によって前記弾性突起２０４を構成させている。かかる弾性材２０５としては、ゴムやゴム状弾性を備えたプラスチックを用いることができる。それと共に、図示の例にあっては、サブシリンダ部分３００における前記シールリング３０５よりも先のこのサブシリンダ部分３００の軸線に直交する向きの断面形状を構成する円弧の略半分が、前端パーツ２の後端部２０３の断面形状に倣った円弧とされ、この断面形状を構成する円弧の残りが、前端パーツ２の弾性突起２０４の形成位置でのこの前端パーツ２の径を直径とした仮想円の円弧となるようにしてある。そしてこれにより、サブシリンダ部分３００内に前記広径部分３０６と狭径部分３０７と段差面３０８とが形成されている。図示の例では、中間パーツ３の未回動位置においては、前端パーツ２の後端部２０３の弾性突起２０４は、広径部分３０６と狭径部分３０７との間の始端側段差面３０９に接している。（図１２）後述する後端パーツ１の押し込み前進操作によって付勢手段３２１の付勢により中間パーツ３の回動が許容される状態を作り出すと、サブシリンダ部分３００の段差面３０８に前記弾性突起２０４が突き当てられる停止位置まで中間パーツ３、つまり、他方部材５’はこの付勢によって回動される。図示の例では、略９０度この付勢によって他方部材５’が回動されるようになっている。（図２、図３）この停止位置から先にさらに他方部材５’を回動させるように外力を加えると、前記段差面３０８によって徐々に弾性突起２０４を弾性変形させながらサブシリンダ部分３００は回動され、弾性突起２０４は変形された状態で前記狭径部分３０７に入り込む。図示の例では、この状態でさらに略８０度、他方部材５’を回動させることができるようになっている。（図４、図５）
【００５８】
これにより、この実施の形態にあっては、前記後端パーツ１の押し込み前進操作によって許容された中間パーツ３の前記付勢手段３２１の付勢による自動的な回動を回動終了位置に至る前に一旦停止させることができると共に、この停止位置から回動終了位置までの間にあっては、中間パーツ３のどの回動位置においても前記弾性突起２０４のサブシリンダ部分３００の狭径部分３０７の内壁への圧接によって中間パーツ３を仮止めすることができる。すなわち、この実施の形態にあっては、中間パーツ３の回動によって回動される他方部材５’の一定位置から先への回動を、この回動操作を止めた場合にはその位置において他方部材５’が留められるようにした状態で、（いわゆるフリーストップ）許容させることができる。
【００５９】
また、図示の例にあっては、前記付勢手段３２１として、圧縮コイルバネ３２２を使用している。図示の例にあっては、サブシリンダ部分３００の閉塞された他端の外面部にバネ端部の挟み込み溝３１１によって二つ割りにされた突出部３１０が形成されていると共に、後端パーツ１の前端部１００に同じくバネ端部の挟み込み溝１０３によって二つ割りにされた突出部１０２が形成されている。そして、図示の例にあっては、前記バネ３２２のバネ一端をサブシリンダ部分３００の突出部３１０の挟み込み溝３１１に入れ込み係止させ、かつ、このバネ３２２のバネ他端を後端パーツ１の突出部１０２の挟み込み溝１０３に入れ込み係止させるようにして、メインシリンダ部分３２０内にかかるバネ３２２を内蔵させている。
【００６０】
また、この実施の形態にあっては、かかるメインシリンダ部分３２０の内部に、後端パーツ１の前端部１００に形成された突起１０５を前記付勢手段３２１の付勢によって前記未回動位置においてメインシリンダ部分３２０の前端部３２３側から納める凹所３２６と、
この付勢に抗した後端パーツ１の押し込み前進操作により凹所３２６から抜け出した後端パーツ１の突起１０５がメインシリンダ部分３２０の前端部３２３側から突き当てられる周回状摺動面３２８とが形成されている。
【００６１】
図示の例にあっては、かかるメインシリンダ部分３２０の後端部３２４には、内向きに張り出す周回状内鍔部３２９が形成されている。一方、後端パーツ１の前端部１００は、略円柱状をなすように構成されていると共に、前記突出部１０２の基部に外向きに張り出す周回状外鍔部１０４を有している。そして、図示の例にあっては、かかる周回状外鍔部１０４をメインシリンダ部分３２０の内方から周回状内鍔部３２９に引っかけるようにして、メインシリンダ部分３２０に対して後端パーツ１の前端部１００が組み合わされている。そして、図示の例にあっては、メインシリンダ部分３２０の周回状内鍔部３２９にこのメインシリンダ部分３２０の前端部３２３側から窪み込み、かつ、周回状内鍔部３２９の突き出し端面３３０においても開放された凹所３２６が形成されていると共に、後端パーツ１にその周回状外鍔部１０４のこの後端パーツ１の後端部に向けられた面からこの後端部側に向けて突き出す突起１０５が形成されており、前記バネ３２２の付勢によって前記未回動位置においてこの凹所３２６に突起１０５が入り込みこのバネ３２２の回転付勢にかかわらずこの未回動位置においては中間パーツ３、つまり、他方部材５’は回動されないようになっている。この状態から、前記バネ３２２の付勢に抗して後端パーツ１を、突起１０５が凹所３２６から抜け出す位置まで押し込み前進操作させると、このバネ３２２の回転付勢によって中間パーツ３は自動的に回動される。抜け出された突起１０５は、この回動の間、前記バネ３２２の付勢によって周回状内鍔部３２９の鍔面に突き当てられるがこの鍔面は周回していることから、この回動は妨げられることがない。すなわち、図示の例にあっては、かかる周回状内鍔部３２９の鍔面が前記周回状摺動面３２８として機能されるようになっている。
【００６２】
なお、図示の例にあっては、中間パーツ３の外面にはこの中間パーツ３の軸線方向に沿ったリブ３１２、３３１が形成されていると共に、第三部分５００の第三通し穴５０１の穴壁にはこの第三通し穴５０１への中間パーツ３の入れ込みによってこのリブ３１２、３３１がはまりこむ溝５０２が形成されており、また、後端パーツ１の外面にはこの後端パーツ１の軸線方向に沿ったリブ１０６が形成されていると共に、第一部分４００の第一通し穴４０１の穴壁にはこの第一通し穴４０１への後端パーツ１の入れ込みによってこのリブ１０６がはまりこむ溝４０２が形成されている。これにより、軸ユニットＪを構成する中間パーツ３は他方部材５’の第三部分５００に固定され、後端パーツ１は第一通し穴４０１の穴軸線に沿った向きの移動のみを許容された状態で一方部材４’の第一部分４００に組み付けられるようになっている。
【００６３】
かかる構成により、この実施の形態にかかる軸ユニットＪによれば、
（１）先ず、一方部材４’の第一部分４００と第二部分４１０との間に他方部材５’の第三部分５００を納めた状態から、第二通し穴４１１内に前端パーツ２を入り込ませ、第三通し穴５０１に中間パーツ３を入り込ませ、かつ、第一通し穴４０１に後端パーツ１を入り込ませるようにして、これらの通し穴４０１、４１１、５０１に軸ユニットＪを入れ込ませることにより、ワンタッチでかかる一方部材４’と他方部材５’とを回動可能に組み合わせることができる。また、後端パーツ１を付勢手段３２１の付勢に抗して押し込み前進操作しない限り、かかる回動が生じないようにすることができる。
（２）次いで、かかる回動を必要とする場合には、後端パーツ１を付勢手段３２１の付勢に抗して押し込み前進操作してメインシリンダ部分３２０の凹所３２６から後端パーツ１の突起１０５を抜け出させることにより、前記付勢手段３２１の付勢によってワンタッチでかかる回動を行わせることができる。また、同時に、かかる回動に前記制動手段３０１によって制動を付与させることができる。
（３）また、回動終了位置まで回動された他方部材５’を回動開始前の位置まで回動操作させると、中間パーツ３は未回動位置に向けて回動され、未回動位置まで回動がされると後端パーツ１の突起１０５は再びメインシリンダ部分３２０の凹所３２６に付勢手段３２１の付勢によって入り込み、中間パーツ３のこの未回動位置にある状態が維持される。つまり、回動開始前の位置に戻された他方部材５’のその状態が再び維持される。
【００６４】
また、この実施の形態にあっては、メインシリンダ部分３２０における凹所３２６の側壁面３２７が、後端パーツ１の押し込み前進操作によって、中間パーツ３を付勢手段３２１による回転付勢の向きに回動させながら、この凹所３２６から後端パーツ１の突起１０５を抜き出させる向きに傾斜した傾斜面となっている。
【００６５】
これにより、この実施の形態にあっては、後端パーツ１を押し込み前進操作することに伴なう凹所３２６から突起１０５が抜け出す過程において事前にやや中間パーツ３を、つまり、他方部材５’を回動させることができ、これにより回動開始時の最も回動抵抗が高い時に、前記付勢力を補って確実に他方部材５’を回動させることができる。また、他方部材５’を回動開始前の位置に戻す操作により中間パーツ３が未回動位置に戻される場合には、その最終段階において付勢手段３２１の付勢によって凹所３２６に突起１０５を引き込み易くすることができる。
【００６６】
また、この実施の形態にあっては、後端パーツ１の後端部１０１に、この後端部１０１の側面から側部１０８を側方に突き出させない未ロック位置からこの側部１０８を側方に突き出させたロック位置までの間での移動可能にロック体１０７が組み付けられている。
【００６７】
図示の例にあっては、後端パーツ１の後端部１０１は、前記周回状外鍔部１０４と突起１０５とを一端部に備えた主軸１１３の他端部を、この他端部のはめ込み穴１１６を前端に備えた略円柱状をなすノブ体１１５のこのはめ込み穴１１６にはめ込み組み付けることにより、このノブ体１１５によって構成されている。図示の例では、このノブ体１１５に前記リブ１０６が形成されている。図示の例では、このノブ体１１５に、このノブ体１１５の側部において開放されてノブ体１１５の内方に延びる穴１１８が形成されていると共に、このノブ体１１５の後端面にこのノブ体１１５の中央部から側部に続きこの側部において外方に開放されたこの穴１１８の穴巾よりも溝巾を狭くした溝１１９が形成されている。そして、かかる穴の巾方向ほぼ中程の位置においてかかる溝１１９がこの穴にノブ体１１５の内部において連通されるようになっている。
【００６８】
一方、前記ロック体１０７は、かかるノブ体１１５の外径と略同じ直径を備えた円盤状をなすように構成されていると共に、その一面に、前記穴１１８に入り込む頭部１１０と前記溝１１９を通る首部１１１とを一体に備えた脚部１０９を有している。
【００６９】
そして、図示の例にあっては、かかる脚部１０９の頭部１１０を前記穴１１８に入れ込ませた状態で、ノブ体１１５の後端面をロック体１０７によって覆うようにして、このノブ体１１５にロック体１０７を組み合わせている。すなわち、ロック体１０７の首部１１１をノブ体１１５の溝１１９に通すようにしてノブ体１１５の穴１１８にロック体１０７の頭部１１０を側方から入り込ませて、かかるロック体１０７とノブ体１１５とを組み合わせている。これによって、ロック体１０７を前記未ロック位置とロック位置との間でスライド移動させることができるようになっている。また、図示の例にあっては、ロック体１０７の脚部１０９における首部１１１に位置決め突部１１２が形成されていると共に、ノブ体１１５の溝１１９に、この溝１１９の延長方向に間隔を開けて二カ所の位置決め凹所１２０、１２０が形成されており、ノブ体１１５の中央側にある位置決め凹所１２０に位置決め突部１１２が納まった位置ではロック体１０７の側部１０８がノブ体１１５の側面から突き出さず、（つまり、未ロック状態／図１３）この位置からロック体１０７をスライド移動させると主としてノブ体１１５側の弾性変形によってこの位置決め凹所１２０から位置決め突部１１２が抜け出し、この後のノブ体１１５の端側にある位置決め凹所１２０に位置決め突部１１２が入り込む位置での弾性復帰により、この位置決め凹所１２０に位置決め突部１１２が入り込むようになっている。そして、このノブ体１１５の端側にある位置決め凹所１２０に位置決め突部１１２が納まった位置ではロック体１０７の側部１０８がノブ体１１５の側面から突き出すようにしてある。（つまり、ロック状態／図１４）そして、図示の例にあっては、ロック体１０７が未ロック位置にある状態では第一通し穴４０１内に後端パーツ１を押し込むことができるが、ロック体１０７がロック位置にある状態では第一通し穴４０１の穴口４０３にロック体１０７の突き出し部分が突き当たりこの押し込みをなすことができないようになっている。
【００７０】
これにより、この実施の形態にあっては、中間パーツ３が未回動位置にある状態においてロック体１０７をロック位置にスライド移動させておくことにより、ロック体１０７に押し込み力が作用されても第一通し穴４０１の穴口４０３にロック体１０７を突き当てさせてロック体１０７の押し込み方向への移動、つまりは、後端パーツ１の押し込み前進操作を阻止することができ、予期せずこの中間パーツ３、つまり、他方部材５’が回動されてしまうことがないようにすることができる。
【００７１】
なお、この実施の形態にあっては、後端パーツ１を構成する主軸１１３の他端部に突起１１４が形成されていると共に、ノブ体１１５のはめ込み穴１１６に、このはめ込み穴１１６の内壁にこのはめ込み穴１１６の入り口側と奥側とにおいてそれぞれこの突起１１４がはまり込む凹所１１７が形成されており、通常は、この奥側の凹所１１７に突起１１４がはまり込むようになっている。前記ロック体１０７をロック位置に位置づけた状態から他方部材５’を誤って回動操作させてしまうとこの他方部材５’の回動によって中間パーツ３が回動されこれに伴って後端パーツ１には中間パーツ３内に引き込まれる力が作用されることになるが、こうした場合には前記奥側の凹所１１７から突起１１４が弾性変形により抜け出し、入り口側の凹所１１７にこの突起１１４が入り込む位置までの主軸１１３の移動を許容するようになっている。これにより、こうした誤操作による軸ユニットＪの破損を防止している。
【００７２】
また、以上に説明した軸ユニットＪにおける弾性変形させるべき箇所への所用の弾性変形特性の付与は、かかる箇所を備えた部材をプラスチック成形品とすることで容易に確保することができる。
【００７３】
（化粧品容器Ｙ）
また、この実施の形態にかかる化粧品容器Ｙは、
（１）前記第一通し穴４０１を備えた第一部分４００と、第二通し穴４１１を備えた第二部分４１０とを有する一方容器構成体４と、
（２）第三通し穴５０１を備えた第三部分５００を有する他方容器構成体５と、
（３）以上に説明した軸ユニットＪとから構成されている。
【００７４】
図示の例にあっては、かかる一方容器構成体４は、上面開口の箱状の本体として構成されている。かかる本体は略方形の底板４２０の四辺部にそれぞれ側板４２１を有している。そして、その一辺部に沿って形成された側板４２１の外面の両端部にそれぞれ軸線を水平に配した円柱状をなす張り出し部４２２を有しており、この張り出し部４２２の一方に前記第一通し穴４０１が、他方に前記第二通し穴４１１が形成されている。すなわち、図示の例では、この一方容器構成体４が前記一方部材４’であり、その張り出し部４２２の一方が前記第一部分４００となり、この張り出し部４２２の他方が前記第二部分４１０となっている。
【００７５】
また、図示の例にあっては、前記他方容器構成体５は、下面開口の箱状の蓋体として構成されている。かかる蓋体は略方形の上板５１０の四辺部にそれぞれ側板５１１を有している。そして、その一辺部に沿って形成された側板５１１の外面の中央部に軸線を水平に配した円柱状をなす張り出し部５１２を有しており、この張り出し部５１２に前記第三通し穴５０１が形成されている。すなわち、図示の例では、この他方容器構成体５が前記他方部材５’であり、その張り出し部５１２が前記第三部分５００となっている。
【００７６】
そして、かかる化粧品容器Ｙは、前記第一部分４００と第二部分４１０との間に第三部分５００を納め入れ、かつ、第一通し穴４０１と第三通し穴５０１と第二通し穴４１１とを連通させた状態で組み合わさせた状態において、
連通されたこれらの通し穴４０１、４１１、５０１に前記軸ユニットＪを差し通して、一方容器構成体４と他方容器構成体５とを回動可能に組み付け合わさせて構成されていると共に、
軸ユニットＪの中間パーツ３が未回動位置にある状態において、一方容器構成体４と他方容器構成体５とが重なり合わされるようになっている。（図１）すなわち、中間パーツ３が未回動位置にある状態において、一方容器構成体４の内部空間が他方容器構成体５によって閉塞されるようになっている。
【００７７】
これにより、かかる化粧品容器Ｙによれば、一方容器構成体４の第一通し穴４０１および第二通し穴４１１と他方容器構成体５の第三通し穴５０１とに軸ユニットＪを差し通すことにより、ワンタッチで両容器構成体４、５を回動可能に組み付け合わせることができる。
【００７８】
それと共に、一方容器構成体４と他方容器構成体５とが重なり合った状態を安定的に維持することができる。また、化粧品容器Ｙを保持する側の手で軸ユニットＪの後端パーツ１を押し込み前進操作することにより、前記重なり合った状態から他方容器構成体５を開き方向に制動を付与しながら自動的に回動させることができる。さらに、この他方容器構成体５の自動的な回動を途中で停止させることができると共に、この停止位置から先では他方容器構成体５にフリーストップ作用を付与しながらこの他方容器構成体５を回動操作することができる。また、一方容器構成体４と他方容器構成体５とが重なり合った状態において軸ユニットＪのロック体１０７をロック位置に移動させておくことにより、予期せず後端パーツ１が押し込まれて他方容器構成体５が開き出してしまうことがないようにすることができる。
【００７９】
また、この実施の形態にあっては、前記軸ユニットＪの中間パーツ３が差し通される第四通し穴６０１を備えた第四部分６００を有する中蓋体６を有していると共に、
他方容器構成体５の第三部分５００の外面部に、中間パーツ３の回動によるこの他方容器構成体５の開き出しに伴ってこの中蓋体６の回動組み付け側の縁部６０３に所定の回動位置で突き当たってこの中蓋体６をこの位置からは一緒に開き出させる連係用突き当たり部５１３が形成されている。
【００８０】
図示の例にあっては、かかる中蓋体６は、一方容器構成体４と他方容器構成体５とを重なり合わせた状態において、これらの内部空間内に納まる大きさを備えた略方形のプレート状をなすように構成されている。また、図示の例では、かかる中蓋体６の一辺部に軸線を略水平に配するようにしたリング体６０２が間隔を開けて設けられている。そして、この一対のリング体６０２、６０２の一方が前記第一部分４００と第三部分５００との間に納められ、その他方がこの第三部分５００と第二部分４１０との間に納められた状態で、差し通される軸ユニットＪの中間パーツ３がこの差し通しによりこの一対のリング体６０２、６０２の内側に通されるようになっている。すなわち、図示の例にあっては、かかる一対のリング体６０２、６０２が前記第四部分６００となり、これらの内側が前記第四通し穴６０１となっている。
【００８１】
それと共に、図示の例にあっては、中蓋体６の一対のリング体６０２、６０２の間にある縁部６０３が、一方容器構成体４と他方容器構成体５とを重なり合わせた状態において、他方容器構成体５の第三部分５００の形成された側板の切欠部５１４から外方に突き出すようになっていると共に、この状態における第三部分５００の外面であってこの縁部６０３に対して略９０度位置を異ならせる位置に下方に突き出す前記連係用突き当たり部５１３が形成されている。
【００８２】
これにより、この実施の形態にあっては、前記付勢手段３２１の付勢による他方容器構成体５の回動に伴ってこの回動の途中から中蓋体６も同じ向きに回動させることができる。
【００８３】
図示の例にあっては、他方容器構成体５が付勢手段３２１の付勢により略９０度回動されると中蓋体６の縁部６０３に連係用突き当たり部５１３が突き当たり、この状態からさらに他方容器構成体５が回動されると、これに伴って、この回動量分同じ向きに中蓋体６が回動されるようになっている。（図２から図４）
【００８４】
かかる化粧品容器Ｙの一方容器構成体４内にファンデーションを納め、中蓋体６の一方容器構成体４の底板４２０に向けられた側にミラーを張り込み、この中蓋体６の上面と他方容器構成体５の上板５１０との間にパフが納まるようにした場合、軸ユニットＪの後端パーツ１を化粧品容器Ｙを保持する側の手の指を使って押し込み前進操作すると先ず他方容器構成体５が付勢手段３２１の付勢により自動的に略９０度位置まで立ち上がりパフを他方の手で把持使用できるようになる。この位置からは他方容器構成体５にはフリーストップ作用が付与され、任意の開き位置まで他方容器構成体５を開き出させることが可能となる。これと同時に、中蓋体６も立ち上がり、顔を写すのに適当な角度に中蓋体６を位置づけて化粧をなすことが可能となる。
【００８５】
（化粧品容器Ｙの開閉装置）
また、この実施の形態にかかる化粧品容器Ｙの開閉装置は、一方容器構成体４と他方容器構成体５とを軸部Ｊ’で開閉可能に軸着する化粧品容器Ｙの開閉装置であって、軸部Ｊ’に、少なくともいずれかの容器構成体４、５を回動付勢する付勢手段３２１と、この回動に制動を付与する制動手段３０１と、この回動を解除可能にロックするロック手段とを備えさせるようにしたものである。
【００８６】
図示の例では、前記軸ユニットＪによって前記軸部Ｊ’を構成させ、また、前記後端パーツ１の突起１０５と中間パーツ３の凹所３２６とにより前記ロック手段を構成させるようにしている。
【００８７】
このようにした場合、一方容器構成体４と他方容器構成体５とが重なり合った閉じ状態を安定的に維持することができる。また、化粧品容器Ｙを保持する側の手で軸部Ｊ’のロック手段の前記ロックを解除操作することにより、前記閉じ状態からいずれか一方の容器構成体４、５を開き方向に制動を付与しながら自動的に回動させることができる。
【００８８】
（回動体の動作方法）
また、この実施の形態にかかる回動体の動作方法は、一方部材４’に対し回動可能に組み付け合わされる他方部材５’（回動体）を、この他方部材５’の回動開始から回動終了までの間において、制動を作用させながら所定の回動位置まで自動的に回動させた後、この所定の回動位置から先では他方部材５’にフリーストップ作用を付与させながら手動で回動させるようにしたものである。
【００８９】
このようにした場合、かかる回動体を回動の途中まではゆっくりと自動的に回動させ、そこから先では任意の回動位置での姿勢保持可能な状態で手動で回動させることができる。
【図面の簡単な説明】
【００９０】
【図１】化粧品容器Ｙの斜視図
【図２】同斜視図（９０度開きだし状態）
【図３】同正面図（９０度開きだし状態）
【図４】同斜視図（１７０度開きだし状態）
【図５】同斜視図（１７０度開きだし状態）
【図６】同平面図
【図７】同正面図
【図８】同底面図
【図９】同左側面図
【図１０】図６におけるＡ−Ａ線断面図
【図１１】化粧品容器Ｙの要部断面図
【図１２】図６におけるＢ−Ｂ線断面図
【図１３】図７におけるＣ−Ｃ線断面図
【図１４】化粧品容器Ｙの要部断面図
【図１５】同分解斜視図
【図１６】図１５と異なる向きから見た化粧品容器Ｙの分解斜視図
【図１７】軸ユニットＪの分解斜視図
【図１８】図１７と異なる向きから見た軸ユニットＪの分解斜視図
【図１９】図１７におけるＥ−Ｅ線断面図
【図２０】図１７におけるＤ−Ｄ線断面図
【図２１】後端パーツ１の主軸１１３の側面図
【図２２】図２１と異なる向きから見た後端パーツ１の主軸１１３の側面図
【符号の説明】
【００９１】
Ｊ  軸ユニット
４’  一方部材
５’  他方部材
３０１  制動手段
３２１  付勢手段
【図１】
2006000515.tif 000003
【図２】
2006000515.tif 000004
【図３】
2006000515.tif 000005
【図４】
2006000515.tif 000006
【図５】
2006000515.tif 000007
【図６】
2006000515.tif 000008
【図７】
2006000515.tif 000009
【図８】
2006000515.tif 000010
【図９】
2006000515.tif 000011
【図１０】
2006000515.tif 000012
【図１１】
2006000515.tif 000013
【図１２】
2006000515.tif 000014
【図１３】
2006000515.tif 000015
【図１４】
2006000515.tif 000016
【図１５】
2006000515.tif 000017
【図１６】
2006000515.tif 000018
【図１７】
2006000515.tif 000019
【図１８】
2006000515.tif 000020
【図１９】
2006000515.tif 000021
【図２０】
2006000515.tif 000022
【図２１】
2006000515.tif 000023
【図２２】
2006000515.tif 000024